(57)【要約】      （修正有）【課題】ペダルとクランクを迅速に分解できるクランク迅速分解装置を提供する。【解決手段】クランク迅速分解装置は、クランク１０と迅速分解装置３０を含み、そのうち、該クランクの一端は、ペダル２０を設け、該クランク側面に分解孔を設け、該クランク側面に迅速分解孔１２を設け、該迅速分解孔がペダルと相通し、該迅速分解装置は、迅速分解ロッド４０、弾性部材５０、固定部材６０及び迅速分解プルボタン７０を含み、該迅速分解ロッドが迅速分解孔内に設けられ、該迅速分解ロッドの一端が頭部４１に設けられ、該頭部の外径が迅速分解ロッドより大きく、該固定部材が迅速分解孔内に固定され、該弾性部材が迅速分解ロッド上に套設され、該弾性部材の一端が頭部を押し上げ、該弾性部材のもう一端が固定部材を押し上げ、弾力作用により頭部をペダル孔内に押し込み、該迅速分解ロッドのもう一端が固定部材を貫通し、迅速分解プルボタンと結合する。【選択図】図１
0003150954.tif 000002
【実用新案登録請求の範囲】
【請求項１】
クランクと迅速分解装置を含み、そのうち、
該クランクの一端は、ペダルを設け、該クランク側面に分解孔を設け、該クランク側面に迅速分解孔を設け、該迅速分解孔がペダルと相通し、
該迅速分解装置は、迅速分解ロッド、弾性部材、固定部材及び迅速分解プルボタンを含み、該迅速分解ロッドが迅速分解孔内に設けられ、該迅速分解ロッドの一端が頭部に設けられ、該頭部の外径が迅速分解ロッドより大きく、該固定部材が迅速分解孔内に固定され、該弾性部材が迅速分解ロッド上に套設され、該弾性部材の一端が頭部を押し上げ、該弾性部材のもう一端が固定部材を押し上げ、弾力作用により頭部をペダル孔内に押し込み、該迅速分解ロッドのもう一端が固定部材を貫通し、迅速分解プルボタンと結合するクランク迅速分解ロッド。
【請求項２】
前記固定部材は、星型パッドである請求項１記載のクランク迅速分解ロッド。
【請求項３】
前記迅速分解ロッドの一端は、螺子山部を設け、該螺子山部は、迅速分解プルボタンと結合する請求項１記載のクランク迅速分解ロッド。
【請求項４】
前記迅速分解ロッドの一端は、螺子山部を設け、該螺子山部は、迅速分解プルボタンと結合する請求項２記載のクランク迅速分解ロッド。
【請求項５】
前記迅速分解孔は、ペダル孔と垂直である請求項１乃至４のいずれか１項に記載のクランク迅速分解ロッド。
【請求項６】
前記迅速分解ロッドの一端は、溝を設ける請求項１乃至４のいずれか１項に記載のクランク迅速分解ロッド。
【請求項７】
前記頭部は、ガイド面を設ける請求項１乃至４のいずれか１項に記載のクランク迅速分解ロッド。
【考案の詳細な説明】
【技術分野】
【０００１】
本考案は、クランク迅速分解装置であり、特に、ペダルとクランクを迅速に分解する設計を提供できる自転車クランク迅速分解構造に関する。
【背景技術】
【０００２】
従来のクランク迅速分解装置は、中華民国専利出願第０９０２２００５９号「自転車ペダルクランク迅速分解装置」のように、ペダルと、固定ナットと、ペダルクランクと、を含み、ペダルの一端が回転軸を凸伸し、該回転軸の自由端上に外螺子山を有する螺合部を形成してなり、固定ナットは、中央に螺子孔を有するスリーブ体であり、該固定ナットの螺子孔をペダルの螺合部上に螺合でき、また、固定ナットのペダルと異なるもう一端は、固定ナットの外縁から少なくとも等分の係止凸縁を凸設してなり、ペダルクランクは、ペダルクランクの自由端上に、固定ナットを嵌合させることができるスリーブ孔を設け、該スリーブ孔内部は、固定ナットの係止凸縁に対応する位置にそれぞれ係止凸縁を嵌合させることができるガイド嵌合溝を凹設し、該ペダルクランクの固定ナットと異なるもう１つの側端面は、ガイド嵌合溝の一側に対応し、該端面から深さが係止凸縁の厚さよりやや大きく、且つスリーブ孔に沿って円形分布し、且つガイド嵌合溝と相通する係止溝を凹設してなる。
【先行技術文献】
【特許文献】
【０００３】
【特許文献１】中華民国専利出願第０９０２２００５９号明細書
【考案の概要】
【考案が解決しようとする課題】
【０００４】
従来の構造中、固定ナットは、螺子孔を加工する必要があり、螺子孔の加工は、慎重に行わなければ、螺子山をなめたり、中心が偏ったりする問題を招く。また、従来の構造は、スリーブ孔を加工し、固定ナットを装着する必要があり、クランクするペダル端の強度が不足し、断裂又は破壊の問題が発生し易い。更に、凸縁とガイド嵌合溝を勘合する方式を利用し、長時間の経過後、緩みが生じ易く、ペダルが勝手に分離する問題が生じ、このような着脱方式は、工具を利用して完成する必要があり、手で直接着脱できず、操作便利性が大きな制限を受ける。
【０００５】
本考案の目的は、従来のクランク分解装置の構造形態の不完全で容易に緩み、便利性が不足する等の欠陥を改善したクランク迅速分解装置を提供することにある。
【課題を解決するための手段】
【０００６】
前記の目的を達成する為、本考案は、クランクと迅速分解装置を含み、そのうち、
該クランクの一端は、ペダルを設け、該クランク側面に分解孔を設け、該クランク側面に迅速分解孔を設け、該迅速分解孔がペダルと相通し、
該迅速分解装置は、迅速分解ロッド、弾性部材、固定部材及び迅速分解プルボタンを含み、該迅速分解ロッドが迅速分解孔内に設けられ、該迅速分解ロッドの一端が頭部に設けられ、該頭部の外径が迅速分解ロッドより大きく、該固定部材が迅速分解孔内に固定され、該弾性部材が迅速分解ロッド上に套設され、該弾性部材の一端が頭部を押し上げ、該弾性部材のもう一端が固定部材を押し上げ、弾力作用により頭部をペダル孔内に押し込み、該迅速分解ロッドのもう一端が固定部材を貫通し、迅速分解プルボタンと結合する。
本考案は、下記の特徴を有する。
（１）クランクと迅速分解装置を含み、そのうち、
該クランクの一端は、ペダルを設け、該クランク側面に分解孔を設け、該クランク側面に迅速分解孔を設け、該迅速分解孔がペダルと相通し、
該迅速分解装置は、迅速分解ロッド、弾性部材、固定部材及び迅速分解プルボタンを含み、該迅速分解ロッドが迅速分解孔内に設けられ、該迅速分解ロッドの一端が頭部に設けられ、該頭部の外径が迅速分解ロッドより大きく、該固定部材が迅速分解孔内に固定され、該弾性部材が迅速分解ロッド上に套設され、該弾性部材の一端が頭部を押し上げ、該弾性部材のもう一端が固定部材を押し上げ、弾力作用により頭部をペダル孔内に押し込み、該迅速分解ロッドのもう一端が固定部材を貫通し、迅速分解プルボタンと結合するクランク迅速分解ロッド。
（２）前記固定部材は、星型パッドである（１）記載のクランク迅速分解ロッド。
（３）前記迅速分解ロッドの一端は、螺子山部を設け、該螺子山部は、迅速分解プルボタンと結合する（１）記載のクランク迅速分解ロッド。
（４）前記迅速分解ロッドの一端は、螺子山部を設け、該螺子山部は、迅速分解プルボタンと結合する（２）記載のクランク迅速分解ロッド。
（５）前記迅速分解孔は、ペダル孔と垂直である（１）乃至（４）のいずれかに記載のクランク迅速分解ロッド。
（６）前記迅速分解ロッドの一端は、溝を設ける（１）乃至（４）のいずれかに記載のクランク迅速分解ロッド。
（７）前記頭部は、ガイド面を設ける（１）乃至（４）のいずれかに記載のクランク迅速分解ロッド。
【考案の効果】
【０００７】
本考案は、以下の利点を有する：
１．構造が簡単：迅速分解装置構造が簡単で、部材の数量が少ない。
２．操作便利性：迅速分解プルボタンを利用し、ペダルを迅速分解でき、使用が相当便利であり、且つ片手で操作できる。
３．加工簡便：クランクが螺子山及び複雑な加工を行う必要がない。
４．構造強度が良好：ペダル孔の強度が破壊を受けないことにより強度が良好である。
５．結合がしっかりしている：弾性部材を利用し、嵌合固定し、分離する危険性がない。
【図面の簡単な説明】
【０００８】
【図１】本考案のクランク迅速分解装置の立体分解説明図である。
【図２】本考案のクランク迅速分解装置の組み立て説明図である。
【図３】本考案の図２中の線３−３の部分断面説明図である。
【図４】本考案のクランク迅速分解装置の操作説明図である。
【図５】本考案のクランク迅速分解装置の操作説明図である。
【図６】本考案のクランク迅速分解装置の第２実施例の部分断面説明図である。
【考案を実施するための形態】
【０００９】
本考案は、クランク迅速分解装置に関し、図１〜図３に示すように、本考案の実施例は、クランク１０とペダル２０を含み、そのうち、
該クランク１０の一端は、ペダル孔１１を設け、該クランク１０側面に迅速分解孔１２を設け、該迅速分解孔１２は、ペダル孔１１と相互に垂直に相通する。
【００１０】
該ペダル２０は、ペダル心軸２１を含み、該ペダル心軸２１は、ペダル孔１１内に装着され、該ペダル心軸２１は、嵌合溝21を設け、該嵌合溝２２は、ペダル心軸２１上に環状に設けられ、迅速分解孔１２と相応し、該ぺダル心軸２１の一端は、六角型であり、ステップの力を伝動することに用い、空回りを回避する。
【００１１】
該クランク迅速分解装置は、更に、迅速分解装置３０を含み、該迅速分解装置３０は、迅速分解孔１２内に装着され、該迅速分解装置３０は、迅速分解ロッド４０と、弾性部材５０と、固定部材６０と、迅速分解プルボタン７０と、螺子８０と、を含み、該迅速分解ロッド４０は、迅速分解孔１２内に装着され、該迅速分解ロッド４０の一端は、頭部４１であり、もう一端は、螺子山部４２であり、該頭部４１の直径は、迅速分解ロッドより大きく、該螺子山部４２は、溝４３を設け、本実施例中、該固定部材６０は、星型パッド６０であり、星型パッド６０は、迅速分解孔１２内に装着され、星型パッド６０を利用して迅速分解孔１２と緊密に合わさり、その中に嵌合固定され、該迅速分解プルボタン７０は、貫通孔７１を設ける。
【００１２】
組み立て時、迅速分解ロッド４０の頭部４１は、迅速分解穴２中に挿入され、弾性部材５０は、迅速分解ロッド４０上に被せられ、星型パッド６０を迅速分解孔１２内に押し込み、迅速分解ロッド４０の螺子山部４２が星型パッド６０を貫通し、且つ迅速分解プルボタン７０と螺合し、溝４３により螺子山部４２を広げ、迅速分解ロッド４０と迅速分解プルボタン７０を固定し、星型パッド６０と頭部４１を利用し、弾性部材５０を圧縮し、迅速分解ロッド４０の頭部４１をペダル孔１１内に押し込む。
【００１３】
本考案のクランク１０とペダル２０の分解及び組み立て操作図は、図４、図５に示すようであり、クランク１０とペダル２０を分解するには、迅速分解プルボタンを引き動かすだけでよく、ペダル孔１１から離れる方向に、頭部４１を迅速分解孔１２にaに移動し、ペダル２０をペダル孔１１から引き出すだけでよい。組み立て時、迅速分解プルボタン７０を引き動かし、ぺダル２０をペダル孔１１に挿入し、迅速分解プルボタンを緩め、弾性部材５０の作用を受け、頭部４１を嵌合溝２２中に押し込み、ペダル２０とクランク１０の結合を完成し、弾性部材５０の弾力作用を受けて、頭部４１と嵌合溝２２を嵌合し、緩んで脱落する現象が容易に発生することがない。
【００１４】
本考案は、構造が簡単であり、操作が便利であり、また、ペダル２０とクランク１０が螺子山で固定する必要がなく、加工のプロセスを減少させるだけでなく、更に、使用上の便利性を向上することができる。また、側辺に開設した迅速分解孔１２は、ペダル孔１１の強度を破壊することがない。弾性部材５０の弾力を利用し、更に、想定外の分離の可能性を回避することができる。
【００１５】
本考案の第２実施例は、図６に示すように、そのうち、第１実施例と同一であるものは、ここに再度記載せず、ただ、その違いのみを説明する。該ペダル心軸２１の一端は、第１ガイド面２３を設け、該頭部４１は、第２ガイド面４１１を設け、第１ガイド面２３を設け、該第１ガイド面２３と第２ガイド面４１１が組み合わさることによって、ペダル心軸２１を挿入時、頭部４１を先に導引し押し開き、その後更に、嵌合溝２２と嵌合することができ、自動嵌合の動作を完成し、迅速分解プルボタン７０を引き動かす必要がない。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１７】
１０  クランク
１１  ペダル孔
１２  迅速分解孔
２０  ペダル
２１  ペダル心軸
２２  嵌合溝
２３  第１ガイド面
３０  迅速分解装置
４０  迅速分解ロッド
４１  頭部
４１１  第２ガイド面
４２  螺子山部
４３  溝
５０  弾性部材
６０  固定部材
７０  迅速分解プルボタン
７１  貫通孔
８０  螺子
【図１】
0003150954.tif 000003
【図２】
0003150954.tif 000004
【図３】
0003150954.tif 000005
【図４】
0003150954.tif 000006
【図５】
0003150954.tif 000007
【図６】
0003150954.tif 000008